(57)【要約】【課題】盗難を有効に防止することができるレンズ鏡筒を提供する。【解決手段】ユーザを識別するための識別情報を検出する識別情報検出部２７１と、ユーザの識別情報に基づいて、ユーザの識別を行う識別部２５０と、識別部２５０によるユーザの識別結果に基づいて、光学系による像を撮像するための動作を制御する制御部２５０と、を備えることを特徴とするレンズ鏡筒。【選択図】  図１
2013061508.tif 000002
【特許請求の範囲】
【請求項１】
ユーザを識別するための識別情報を検出する識別情報検出部と、
前記ユーザの識別情報に基づいて、ユーザの識別を行う識別部と、
前記識別部によるユーザの識別結果に基づいて、光学系による像を撮像するための動作を制御する制御部と、を備えることを特徴とするレンズ鏡筒。
【請求項２】
請求項１に記載のレンズ鏡筒であって、
前記制御部は、前記識別部によりユーザを識別できない場合には、前記光学系による像の撮像を不能とするような制御を行うことを特徴とするレンズ鏡筒。
【請求項３】
請求項２に記載のレンズ鏡筒であって、
前記光学系を通過する光束を遮光するための遮光部をさらに備え、
前記制御部は、前記識別部によりユーザを認識できない場合には、前記遮光部により、前記光学系を通過する光束を遮光することで、前記光学系による像の撮像を不能とすることを特徴とするレンズ鏡筒。
【請求項４】
請求項３に記載のレンズ鏡筒であって、
前記識別情報検出部は、前記遮光部に設置されていることを特徴とするレンズ鏡筒。
【請求項５】
請求項１または２に記載のレンズ鏡筒であって、
前記制御部は、前記識別部によりユーザを識別できない場合には、前記光学系を駆動させることで、前記光学系による像の撮像を不能とすることを特徴とするレンズ鏡筒。
【請求項６】
請求項１〜５のいずれかに記載のレンズ鏡筒であって、
前記識別情報検出部は、ユーザの網膜情報を、前記識別情報として検出することを特徴とするレンズ鏡筒。
【請求項７】
請求項１〜６のいずれかに記載のレンズ鏡筒であって、
前記識別情報検出部は、ユーザの虹彩情報を、前記識別情報として検出することを特徴とするレンズ鏡筒。
【請求項８】
請求項１〜７のいずれかに記載のレンズ鏡筒であって、
前記識別情報検出部は、ユーザの瞬きに関する情報を、前記識別情報として検出することを特徴とするレンズ鏡筒。
【請求項９】
請求項１〜８のいずれかに記載のレンズ鏡筒であって、
前記識別情報検出部は、ユーザが行ったジェスチャーに関する情報を、前記識別情報として検出することを特徴とするレンズ鏡筒。
【請求項１０】
請求項１〜９のいずれかに記載のレンズ鏡筒であって、
前記制御部は、前記識別部によりユーザを識別できた場合には、識別されたユーザに応じて、前記光学系の焦点距離を設定することを特徴とするレンズ鏡筒。
【請求項１１】
請求項１〜１０のいずれかに記載のレンズ鏡筒であって、
前記制御部は、前記識別部によりユーザを識別できた場合には、識別されたユーザに応じて、ユーザ設定を読み出すことを特徴とするレンズ鏡筒。
【発明の詳細な説明】
【技術分野】
【０００１】
本発明は、レンズ鏡筒に関する。
【背景技術】
【０００２】
従来より、セキュリティ機能を備えた撮像装置が知られている。このような撮像装置において、盗難やいたずらを防止するために、予め設定されたパスワードが入力されるまで、撮影を不能とする技術が知られている（たとえば、特許文献１参照）。
【先行技術文献】
【特許文献】
【０００３】
【特許文献１】特開２００４−１５３４３０号公報
【発明の概要】
【発明が解決しようとする課題】
【０００４】
しかしながら、従来技術は、レンズ鏡筒自体にセキュリティ機能を備えるものではないため、レンズ鏡筒のみが盗難、転売されてしまうという問題があった。特に、レンズ鏡筒の種別によっては、レンズ鏡筒が、カメラボディよりも高価となる場合も多く、このような場合に、上記の問題が顕著となる。
【０００５】
本発明が解決しようとする課題は、盗難を有効に防止することができるレンズ鏡筒を提供することである。
【課題を解決するための手段】
【０００６】
本発明は、以下の解決手段によって上記課題を解決する。なお、以下においては、本発明の実施形態を示す図面に対応する符号を付して説明するが、この符号は発明の理解を容易にするためだけのものであって発明を限定する趣旨ではない。
【０００７】
［１］本発明に係るレンズ鏡筒は、ユーザを識別するための識別情報を検出する識別情報検出部（２７１）と、前記ユーザの識別情報に基づいて、ユーザの識別を行う識別部（２５０）と、前記識別部によるユーザの識別結果に基づいて、光学系による像を撮像するための動作を制御する制御部（２５０）と、を備えることを特徴とする。
【０００８】
［２］上記レンズ鏡筒に係る発明において、前記制御部（２５０）は、前記識別部（２５０）によりユーザを識別できない場合には、前記光学系による像の撮像を不能とするような制御を行うように構成することができる。
【０００９】
［３］上記レンズ鏡筒に係る発明において、前記光学系を通過する光束を遮光するための遮光部（２７１）をさらに備え、前記制御部（２５０）は、前記識別部（２５０）によりユーザを認識できない場合には、前記遮光部により、前記光学系を通過する光束を遮光することで、前記光学系による像の撮像を不能とするように構成することができる。
【００１０】
［４］上記レンズ鏡筒に係る発明において、前記識別情報検出部（２７１）は、前記遮光部（２７１）に設置されているように構成することができる。
【００１１】
［５］上記レンズ鏡筒に係る発明において、前記制御部（２５０）は、前記識別部（２５０）によりユーザを識別できない場合には、前記光学系を駆動させることで、前記光学系による像の撮像を不能とするように構成することができる。
【００１２】
［６］上記レンズ鏡筒に係る発明において、前記識別情報検出部（２７１）は、ユーザの網膜情報を、前記識別情報として検出するように構成することができる。
【００１３】
［７］上記レンズ鏡筒に係る発明において、前記識別情報検出部（２７１）は、ユーザの虹彩情報を、前記識別情報として検出するように構成することができる。
【００１４】
［８］上記レンズ鏡筒に係る発明において、前記識別情報検出部（２７１）は、ユーザの瞬きに関する情報を、前記識別情報として検出するように構成することができる。
【００１５】
［９］上記レンズ鏡筒に係る発明において、前記識別情報検出部（２７１）は、ユーザが行ったジェスチャーに関する情報を、前記識別情報として検出するように構成することができる。
【００１６】
［１０］上記レンズ鏡筒に係る発明において、前記制御部（２５０）は、前記識別部（２５０）によりユーザを識別できた場合には、前記識別部により識別されたユーザに応じて、前記光学系の焦点距離を設定するように構成することができる。
【００１７】
［１１］上記レンズ鏡筒に係る発明において、前記制御部（２５０）は、前記識別部（２５０）によりユーザを識別できた場合には、前記識別部により識別されたユーザに応じて、ユーザ設定を読み出すように構成することができる。
【発明の効果】
【００１８】
本発明によれば、レンズ鏡筒の盗難を有効に防止することができる。
【図面の簡単な説明】
【００１９】
【図１】図１は、本実施形態に係るカメラを示すブロック図である。
【図２】図２は、本実施形態に係る初期登録処理を示すフローチャートである。
【図３】図３は、ユーザ識別情報の検出方法を説明するための図である。
【図４】図４は、本実施形態に係るユーザ認証処理を示すフローチャートである。
【図５】図５は、本実施形態に係るユーザ認証処理を説明するための図である。
【図６】図６は、本実施形態に係るユーザ認証処理を説明するための図である。
【発明を実施するための形態】
【００２０】
以下、本発明の実施形態を図面に基づいて説明する。
【００２１】
図１は、本発明の実施形態に係るデジタルカメラ１を示す要部構成図である。本実施形態の一眼レフデジタルカメラ１（以下、単にカメラ１という。）は、カメラボディ１００とレンズ鏡筒２００とを備え、カメラボディ１００とレンズ鏡筒２００とは着脱可能に結合されている。本実施形態のカメラ１においては、レンズ鏡筒２００は、撮影目的などに応じて、交換可能となっている。
【００２２】
レンズ鏡筒２００には、レンズ２１１，２１２，２１３、および絞り２２０を含む撮影光学系が内蔵されている。
【００２３】
フォーカスレンズ２１２は、レンズ鏡筒２００の光軸Ｌ１に沿って移動可能に設けられ、エンコーダ２６０によってその位置が検出されつつフォーカスレンズ駆動モータ２３０によってその位置が調節される。そして、エンコーダ２６０で検出されたフォーカスレンズ２１２の現在位置情報は、レンズ制御部２５０を介して後述するカメラ制御部１７０へ送出される。そして、この情報に基づいて演算されたフォーカスレンズ２１２の駆動量Δｄが、カメラ制御部１７０からレンズ制御部２５０を介して送出され、これに基づいて、フォーカスレンズ駆動モータ２３０は駆動する。
【００２４】
絞り２２０は、上記撮影光学系を通過して、カメラボディ１００に備えられた撮像素子１１０に至る光束の光量を制限するとともにボケ量を調整するために、光軸Ｌ１を中心にした開口径が調節可能に構成されている。絞り２２０による開口径の調節は、たとえば自動露出モードにおいて演算された適切な開口径が、カメラ制御部１７０からレンズ制御部２５０へ送信されることにより行われる。また、開口径の調節は、カメラボディ１００に設けられた操作部１５０を介したマニュアル操作により、設定された開口径がカメラ制御部１７０からレンズ制御部２５０へ送信されることによっても行われる。なお、絞り２２０の開口径は図示しない絞り開口センサにより検出され、レンズ制御部２５０で現在の開口径が認識される。
【００２５】
また、本実施形態において、レンズ制御部２５０は、レンズ鏡筒２００の盗難、転売を有効に防止するために、レンズ鏡筒２００を使用できるユーザの情報を、ユーザ認証情報としてメモリ２４０に記憶しており、このユーザ認証情報に基づいて、ユーザの認証を行う。そして、レンズ制御部２５０は、認証されたユーザのみが、レンズ鏡筒２００を使用して、画像を撮影することができるよう、ユーザの認証結果に基づいて、レンズ鏡筒２００の制御を行う。
【００２６】
スキャナ２７１は、ユーザを識別するためのユーザ識別情報を検出する。たとえば、スキャナ２７１は、スキャナ２７１に備える小型のカメラにより、ファインダ１３５を覗くユーザの目を撮影し、撮影したユーザの目の画像に基づいて、ユーザの虹彩パターンをユーザ識別情報として検出する。なお、スキャナ２７１により検出されたユーザ識別情報は、レンズ制御部２５０へと送出される。
【００２７】
なお、ユーザ識別情報は、ユーザの虹彩パターンに限定されず、たとえば、ユーザの網膜パターン、ユーザの瞬きの速度、あるいは、ユーザの瞳の動き（ジェスチャー）を、ユーザ識別情報として用いることができる。たとえば、ユーザの網膜パターンをユーザ識別情報として検出する場合、スキャナ２７１は、スキャナ２７１に備えたセンサにより、ユーザの目により反射された光を検出し、検出した反射光に基づいて、ユーザの網膜パターンを、ユーザ識別情報として検出することができる。また、たとえば、ユーザの瞬きの速度、あるいはユーザの瞳の動き（ジェスチャー）を、ユーザ識別情報として検出する場合には、スキャナ２７１は、スキャナ２７１に備えた小型のカメラにより、ユーザの瞳を時系列に沿って撮影することで、ユーザの瞬きの速度、あるいはユーザの目の動き（ジェスチャー）を、ユーザ識別情報として検出することができる。
【００２８】
スキャナ駆動モータ２７２は、被写体からの光束の光軸Ｌ１上から外れた位置に配置されており、レンズ制御部２５０の駆動指示に基づいて、スキャナ２７１を、光軸方向または光軸方向と垂直な方向に移動させる。
【００２９】
たとえば、レンズ制御部２５０は、ユーザを認証できない場合には、スキャナ駆動モータ２７２により、被写体からの光束の光軸Ｌ１上の位置に、スキャナ２７１を移動させる。これにより、レンズ制御部２５０は、撮像素子１１０に向かう被写体からの光束（光軸Ｌ１）を、スキャナ２７１で遮ることができ、レンズ鏡筒２００を、画像を撮像できない状態とすることができる。
【００３０】
また、レンズ制御部２５０は、ユーザを認証できた場合には、スキャナ駆動モータ２７２により、被写体からの光束の光軸Ｌ１上から退避した位置に、スキャナ２７１を移動させる。これにより、レンズ制御部２５０は、被写体からの光束（光軸Ｌ１）を撮像素子１１０まで到達させることができ、レンズ鏡筒２００を、画像を撮影することができる状態とすることができる。
【００３１】
発光部２８１，２８２は、たとえば、人間が感知できない赤外光を発光するＬＥＤ光源であり、レンズ制御部２５０の制御に基づいて、ファインダ１３５を覗くユーザの目に赤外光を照射する。発光部２８１，２８２により照射された赤外光の一部は、ユーザの目によって反射され、ユーザの目によって反射された赤外光が、スキャナ２７１により検出される。
【００３２】
一方、カメラボディ１００は、被写体からの光束を撮像素子１１０、ファインダ１３５、測光センサ１３７および焦点検出モジュール１６０へ導くためのミラー系１２０を備える。このミラー系１２０は、回転軸１２３を中心にして被写体の観察位置と撮影位置との間で所定角度だけ回転するクイックリターンミラー１２１と、このクイックリターンミラー１２１に軸支されてクイックリターンミラー１２１の回動に合わせて回転するサブミラー１２２とを備える。図１においては、ミラー系１２０が被写体の観察位置にある状態を実線で示し、被写体の撮影位置にある状態を二点鎖線で示す。
【００３３】
ミラー系１２０は、被写体の観察位置にある状態では光軸Ｌ１の光路上に挿入される一方で、被写体の撮影位置にある状態では光軸Ｌ１の光路から退避するように回転する。
【００３４】
クイックリターンミラー１２１はハーフミラーで構成され、被写体の観察位置にある状態では、被写体からの光束（光軸Ｌ１）の一部の光束（光軸Ｌ２，Ｌ３）を当該クイックリターンミラー１２１で反射してファインダ１３５および測光センサ１３７へ導き、一部の光束（光軸Ｌ４）を透過させてサブミラー１２２へ導く。これに対して、サブミラー１２２は全反射ミラーで構成され、クイックリターンミラー１２１を透過した光束（光軸Ｌ４）を焦点検出モジュール１６０へ導く。
【００３５】
したがって、ミラー系１２０が観察位置にある場合は、被写体からの光束（光軸Ｌ１）はファインダ１３５、測光センサ１３７および焦点検出モジュール１６０へ導かれ、ユーザにより被写体が観察されるとともに、露出演算やフォーカスレンズ２１２の焦点調節状態の検出が実行される。そして、ユーザがシャッターレリーズボタン（不図示）を全押しするとミラー系１２０が撮影位置に回動し、被写体からの光束（光軸Ｌ１）は全て撮像素子１１０へ導かれ、撮影した画像データを図示しないメモリに保存する。
【００３６】
クイックリターンミラー１２０で反射された被写体からの光束は、撮像素子１１０と光学的に等価な面に配置された焦点板１３１に結像し、ペンタプリズム１３３と接眼レンズ１３４とを介して観察可能になっている。このとき、透過型液晶表示器１３２は、焦点板１３１上の被写体像に焦点検出エリアマークなどを重畳して表示するとともに、被写体像外のエリアにシャッター速度、絞り値、撮影枚数などの撮影に関する情報を表示する。これにより、撮影者は、撮影準備状態において、ファインダ１３５を通して被写体およびその背景ならびに撮影関連情報などを観察することができる。
【００３７】
測光センサ１３７は、二次元カラーＣＣＤイメージセンサなどで構成され、撮影の際の露出値を演算するため、撮像画面を複数の領域に分割して領域ごとの輝度に応じた測光信号を出力する。測光センサ１３７で検出された信号はカメラ制御部１７０へ出力され、たとえば、静止画を撮影する際の自動露出制御に用いられる。
【００３８】
焦点検出モジュール１６０は、被写体光を用いた位相差検出方式による自動合焦制御を実行するための焦点検出素子であり、サブミラー１２２で反射した光束（光軸Ｌ４）の、撮像素子１１０の撮像面と光学的に等価な位置に固定されている。
【００３９】
撮像素子１１０は、カメラボディ１００の、被写体からの光束の光軸Ｌ１上であって、レンズ２１１，２１２，２１３を含む撮影光学系の予定焦点面に設けられ、その前面にシャッター１１１が設けられている。この撮像素子１１０は、複数の光電変換素子が二次元に配置されたものであって、二次元ＣＣＤイメージセンサ、ＭＯＳセンサまたはＣＩＤなどのデバイスから構成することができる。撮像素子１１０で光電変換された画像信号は、カメラ制御部１７０で画像処理されたのち図示しないメモリに保存される。なお、撮影画像を格納するメモリは内蔵型メモリやカード型メモリなどで構成することができる。
【００４０】
操作部１５０は、シャッターレリーズボタンや撮影者がカメラ１の各種動作モードを設定するための入力スイッチであり、自動露出モード／マニュアル露出モード、オートフォーカスモード／マニュアルフォーカスモードの切換などの設定が行えるようになっている。また、シャッターレリーズボタンのスイッチは、ボタンの半押しでＯＮとなる第１スイッチＳＷ１と、ボタンの全押しでＯＮとなる第２スイッチＳＷ２とを含む。
【００４１】
カメラボディ１００にはカメラ制御部１７０が設けられている。カメラ制御部１７０はマイクロプロセッサ、ＡＳＩＣ、ＲＡＭなどの周辺部品から構成され、撮像素子１１０から出力された画像データを取得する。そして、カメラ制御部１７０は、撮像素子１１０から出力された画像データに、所定の画像処理を施すことで、スルー画像および撮像画像の生成を行う。また、カメラ制御部１７０は、レンズ制御部２５０と電気的に接続され、レンズ制御部２５０から、レンズ鏡筒２００の焦点調節範囲の情報などを含むレンズ情報を受信するとともに、レンズ制御部２５０へ絞り制御信号などの情報を送信する。
【００４２】
次いで、本実施形態に係る初期登録処理について説明する。初期登録処理とは、レンズ鏡筒２００を使用できるユーザを、レンズ鏡筒２００で認証するためのユーザ認証情報を登録するための処理である。以下においては、図２を参照して、本実施形態に係る初期登録処理について説明する。なお、図２は、本実施形態に係る初期登録処理を示すフローチャートである。初期登録処理は、たとえば、レンズ鏡筒２００が、ユーザ認証情報が登録されていない初期状態（出荷状態）である場合に、カメラ１の電源がオンされることにより開始される。
【００４３】
まず、ステップＳ１０１では、レンズ制御部２５０により、ユーザ認証情報の登録要求が行われる。たとえば、レンズ制御部２５０は、レンズ鏡筒２００に備えるスピーカ（不図示）により所定の音声を出力することで、ユーザ認証情報の登録を要求することができる。あるいは、レンズ制御部２５０は、カメラ制御部１７０を介して、カメラボディ１００に備えるディスプレイ（不図示）に、ユーザ認証情報の登録を要求する旨のメッセージを表示することで、ユーザ認証情報の登録を要求する構成としてもよい。
【００４４】
ステップＳ１０２では、レンズ制御部２５０により、ステップＳ１０１のユーザ認証情報の登録要求に応じて、ユーザにより、ユーザ情報登録ボタンが押下されたか否かの判断が行われる。ユーザ情報登録ボタンが押下された場合は、ユーザ認証情報を登録するために、ステップＳ１０３に進み、一方、ユーザ情報登録ボタンが押下されていない場合は、ユーザ情報登録ボタンが押下されるまで、ステップＳ１０２で待機する。なお、本実施形態では、たとえば、シャッターレリーズボタンを、ユーザ情報登録ボタンとして用いることができる。また、レンズ鏡筒２００に、ユーザ情報登録ボタンを設ける構成としてもよい。
【００４５】
ステップＳ１０２で、ユーザ情報登録ボタンが押下された場合には、ステップＳ１０３に進み、ステップＳ１０３〜Ｓ１０６において、ユーザ認証情報の登録が行われる。
【００４６】
具体的には、まず、ステップＳ１０３において、レンズ制御部２５０により、図３に示すように、発光部２８１，２８２の発光が開始される。これにより、発光部２８１，２８２により発せられた赤外光が、クイックリターンミラー１２１、ペンタプリズム１３３、接眼レンズ１３４、およびファインダ１３５を介して、ユーザの目に照射される。そして、ユーザの目に照射された赤外光の一部は、ユーザの目によって反射され、図３に示すように、ユーザの目によって反射された光束（光軸Ｌ５）が、ファインダ１３５、接眼レンズ１３４、ペンタプリズム１３３、およびクイックリターンミラー１２１を介して、スキャナ２７１へと到達される。なお、図３は、ユーザ識別情報の検出方法を説明するための図である。
【００４７】
そして、ステップＳ１０４では、スキャナ２７１により、ユーザを識別するためのユーザ識別情報の検出が行われる。たとえば、スキャナ２７１は、図３に示すように、ユーザの目によって反射された光束（光軸Ｌ５）に基づいて、ユーザの目の画像を撮像し、撮像したユーザの目の画像に基づいて、ユーザの虹彩パターンを、ユーザ識別情報として検出する。
【００４８】
なお、ユーザ識別情報は、ユーザの虹彩パターンに限定されず、たとえば、ユーザの目によって反射された光束（光軸Ｌ５）に基づいて、ユーザの網膜パターンを、ユーザ識別情報として検出してもよい。あるいは、ユーザの目によって反射された光束（光軸Ｌ５）に基づいて、ユーザの目の画像を時系列に沿って撮像し、撮像したユーザの目の時系列データに基づいて、ユーザの瞬きの速度や、ユーザの瞳の動き（ジェスチャー）を、ユーザ識別情報として検出してもよい。
【００４９】
また、ユーザ識別情報を検出する際に、レンズ制御部２５０は、ユーザの目の像がスキャナ２７１の撮像面で結像するよう、スキャナ駆動モータ２７２に駆動指示を送出する。これにより、スキャナ駆動モータ２７２は、レンズ制御部２５０からの駆動指示に基づいて、スキャナ２７１を光軸方向に移動させ、スキャナ２７１の撮像面の位置を、ユーザの目の像の結像面に一致するように調節する。
【００５０】
ステップＳ１０５では、レンズ制御部２５０により、ステップＳ１０４で検出されたユーザ識別情報が、ユーザ認証情報として、レンズ鏡筒２００のメモリ２４０に記憶される。そして、ステップＳ１０６において、レンズ制御部２５０により、発光部２８１，２８２の発光が終了され、この初期登録処理を終了する。
【００５１】
このように、本実施形態では、ユーザ認証情報がレンズ鏡筒２００に登録されていない初期状態において、初期登録処理が行われ、ユーザを識別するための識別情報が、レンズ鏡筒２００を使用できるユーザを認証するためのユーザ認証情報として、レンズ鏡筒２００のメモリ２４０に登録される。
【００５２】
次に、本実施形態に係るユーザ認証処理について説明する。ユーザ認証処理は、レンズ鏡筒２００を使用できるユーザであるかを判断するために、ユーザ認証を行い、ユーザが認証された場合に、レンズ鏡筒２００を使用して、画像を撮影できるように、レンズ鏡筒２００を制御する処理である。以下においては、図４を参照して、本実施形態に係るユーザ認証処理について説明する。なお、図４は、本実施形態に係るユーザ認証処理を示すフローチャートである。ユーザ認証処理は、たとえば、図２に示す初期登録処理により、ユーザ認証情報が登録された後において、カメラ１の電源がオンとなることで開始される。
【００５３】
また、ユーザ認証処理を開始する時点では、スキャナ２７１は、図５に示すように、被写体からの光束の光軸Ｌ１上に挿入されており、スキャナ２７１により、撮像素子１１０に向かう光束（光軸Ｌ１）が遮られるため、レンズ鏡筒２００を使用して、画像を撮影することができない状態となっている。なお、図５は、本実施形態に係るユーザ認証処理を説明するための図である。
【００５４】
まず、ステップＳ２０１では、レンズ制御部２５０により、ユーザに対して、ユーザ認証を行うよう要求が行われる。たとえば、レンズ制御部２５０は、レンズ鏡筒２００に備えるスピーカ（不図示）により所定の音声を出力することで、ユーザに対して、ユーザ認証を行うことを要求することができる。また、レンズ制御部２５０は、カメラ制御部１７０を介して、カメラボディ１００に備えるディスプレイ（不図示）に、ユーザ認証の実行を要求するメッセージを表示させることで、ユーザに対して、ユーザ認証を行うよう要求することができる。
【００５５】
ステップＳ２０２では、レンズ制御部２５０により、ステップＳ２０１の要求に応じて、ユーザにより、ユーザ認証ボタンが押下されたか否かの判断が行われる。ユーザ認証ボタンが押下された場合には、ユーザ認証を行うために、ステップＳ２０３に進み、一方、ユーザ認証ボタンが押下されていない場合には、ステップＳ２０２で待機する。なお、本実施形態においては、たとえば、シャッターレリーズボタンを、ユーザ認証ボタンとして用いてもよい。また、ユーザ認証ボタンを、レンズ鏡筒２００に設ける構成としてもよい。
【００５６】
ステップＳ２０３では、ステップＳ１０３と同様に、レンズ制御部２５０により、発光部２８１，２８２による発光が開始され、発光部２８１，２８２により発せられた赤外光が、ファインダ１３５を覗いているユーザの目に照射される。ユーザの目に照射された赤外光は、ユーザの目により反射され、図３に示すように、ユーザの目により反射された光束（光軸Ｌ５）が、ファインダ１３５、接眼レンズ１３４、ペンタプリズム１３３、およびクイックリターンミラー１２１を介して、スキャナ２７１に到達される。
【００５７】
そして、ステップＳ２０４では、ステップＳ１０４と同様に、スキャナ２７１により、ユーザ識別情報の検出が行われる。たとえば、スキャナ２７１は、図３に示すように、ユーザの目によって反射された光束（光軸Ｌ５）に基づいて、ユーザの目の画像を撮像し、撮像したユーザの目の画像に基づいて、ユーザの虹彩パターンを、ユーザ識別情報として検出する。そして、検出されたユーザ識別情報は、スキャナ２７１からレンズ制御部２５０へと送出される。なお、ユーザ識別情報を検出する際に、レンズ制御部２５０は、ステップＳ１０４と同様に、ユーザの目の像がスキャナ２７１の撮像面で結像するように、スキャナ２７１の光軸方向における位置を調節することができる。
【００５８】
ステップＳ２０５では、レンズ制御部２５０により、ステップＳ２０４で検出されたユーザ識別情報と、初期登録処理で登録されたユーザ認証情報との照合が行われる。たとえば、レンズ制御部２５０は、ステップＳ２０４で、ユーザの虹彩パターンをユーザ識別情報として検出している場合には、ステップＳ２０４で検出されたユーザの虹彩パターンと、ユーザ認証情報としてメモリ２４０に登録されている虹彩パターンとを照合する。
【００５９】
同様に、レンズ制御部２５０は、ユーザの網膜パターンをユーザ識別情報として検出している場合には、ステップＳ２０４で検出されたユーザの網膜パターンと、ユーザ認証情報として登録されている網膜パターンとを照合し、あるいは、ユーザの瞬きの速度をユーザ識別情報として検出している場合には、ステップＳ２０４で検出されたユーザの瞬きの速度と、ユーザ認証情報として登録されているユーザの瞬きの速度とを照合する。さらに、レンズ制御部２５０は、ユーザの瞳の動き（ジェスチャー）をユーザ識別情報として検出している場合には、ステップＳ２０４で検出したユーザの瞳の動き（ジェスチャー）と、ユーザ認証情報として登録されている特定の瞳の動き（たとえば、左右上下の順に瞳を動かすなど）を照合する。
【００６０】
ステップＳ２０６では、レンズ制御部２５０により、ステップＳ２０５の照合結果に基づいて、ユーザ認証が行われる。たとえば、レンズ制御部２５０は、ステップＳ２０４で検出されたユーザの虹彩パターンと、ユーザ認証情報としてメモリ２４０に登録されている虹彩パターンとの一致度が、所定値以上であるか否かを判断し、ステップＳ２０４で検出されたユーザの虹彩パターンとメモリ２４０に登録されている虹彩パターンとの一致度が、所定値以上である場合には、認証登録されたユーザであると判断し、ステップＳ２０７に進む。一方、ステップＳ２０４で検出したユーザの虹彩パターンと、メモリ２４０に登録されている虹彩パターンとの一致度が、所定値未満である場合には、ステップＳ２１１に進む。
【００６１】
ステップＳ２０７では、レンズ制御部２５０により、発光部２８１，２８２の発光が終了される。そして、続くステップＳ２０８では、レンズ制御部２５０により、光軸Ｌ１上からスキャナ２７１を退避させるように、スキャナ駆動モータ２７２に対して駆動指示が送出される。これにより、スキャナ駆動モータ２７２は、図６に示すように、光軸Ｌ１上からスキャナ２７１を退避させ、被写体からの光束（光軸Ｌ１）をカメラボディ１００の撮像素子１１０へと導くことができる。これにより、カメラ１において、レンズ鏡筒２００を使用して、画像を撮影できる状態とすることができる。なお、図６は、本実施形態に係るユーザ認証処理を説明するための図である。
【００６２】
ステップＳ２０９では、レンズ制御部２５０により、電源をオフするために、電源ボタンが押下されたか否かの判断が行われる。電源ボタンが押下された場合には、ステップＳ２１０に進む。一方、電源ボタンが押下されていない場合には、ステップＳ２０９で待機する。このように、電源ボタンが押下されるまでは、スキャナ２７１が、被写体からの光束の光軸Ｌ１から退避しているため、認証されたユーザは、レンズ鏡筒２００を使用して、画像の撮影することができる。
【００６３】
ステップＳ２０９で、電源をオフにするために電源ボタンが押下された場合には、ステップＳ２１０に進む。ステップＳ２１０では、レンズ制御部２５０により、光軸Ｌ１上にスキャナ２７１を挿入するように、スキャナ駆動２７２に対して駆動指示が送出され、スキャナ駆動モータ２７２により、スキャナ２７１が、被写体からの光束の光軸Ｌ１上に挿入される。これにより、撮像素子１１０に向かう被写体からの光束（光軸Ｌ１）が、スキャナ２７１により遮られ、カメラ１において、レンズ鏡筒２００を使用して、画像を撮影することができない状態とされる。
【００６４】
また、ステップＳ２０６でユーザを認証できなかった場合には、ステップＳ２１１に進む。ステップＳ２１１では、レンズ制御部２５０により、ユーザ識別情報の検出回数が、予め設定された所定回数以上となったか否かの判断が行われる。ユーザ識別情報の検出回数が所定回数未満であると判断された場合には、ステップＳ２０４に戻り、ユーザ識別情報の検出（ステップＳ２０４）と、ユーザ識別情報に基づくユーザ認証（ステップＳ２０５，Ｓ２０６）とが繰り返し行われる。一方、ユーザ識別情報の検出回数が所定回数以上であると判断された場合には、認証登録されたユーザではないと判断され、ステップＳ２１２に進み、ステップＳ２１２で発光部２８１，２８２による発光が終了された後、このユーザ認証処理を終了する。このように、レンズ制御部２５０は、ユーザを認証できない場合には、認証登録されたユーザではないと判断し、認証登録されていないユーザが、レンズ鏡筒２００を使用して、画像を撮影することができように制御を行う。
【００６５】
以上のように、本実施形態では、ファインダ１３５を覗いたユーザの目の画像などから、ユーザを識別するためのユーザ識別情報を検出し、検出したユーザ識別情報に基づいて、ユーザの認証を行う。そして、ユーザが認証された場合には、図６に示すように、スキャナ２７１を、被写体からの光束の光軸Ｌ１上から退避させることにより、被写体からの光束（光軸Ｌ１）を撮像素子１１０に導くことができるため、ユーザに、レンズ鏡筒２００を使用して、画像を撮影させることができる。一方、ユーザを認証できない場合には、図５に示すように、スキャナ２７１を、被写体からの光束の光軸Ｌ１上に挿入し、撮像素子１１０に向かう光束（光軸Ｌ１）をスキャナ２７１で遮ることにより、ユーザに、レンズ鏡筒２００を使用したままでは、画像を撮影させないようにすることができる。このように、本実施形態では、レンズ鏡筒２００に認証登録されたユーザではない限り、レンズ鏡筒２００を使用して、画像を撮影することができないため、レンズ鏡筒２００の盗難、転売を有効に防止することができる。また、本実施形態では、カメラボディ１００に依存することなく、レンズ鏡筒２００のみで、ユーザ認証を行うことができるため、どのようなカメラボディに対しても、上記効果を奏することができる。さらに、本実施形態では、ユーザがファインダ１３５を覗くだけで、ユーザ認証が行われるため、ユーザ認証を行う際のユーザの負担を軽減することができる。
【００６６】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００６７】
たとえば、上述した実施形態では、ユーザ認証情報が登録されていない初期状態である場合に、初期登録処理を行う構成を例示したが、たとえば、複数のユーザでレンズ鏡筒２００を利用する場合には、既に登録されたユーザが認証されている状態で、ユーザ情報登録ボタンが押下された場合にも、初期登録処理を行える構成としてもよい。これにより、新たなユーザのユーザ認証情報を追加することができ、新たなユーザが、レンズ鏡筒２００を使用して、画像を撮影することができる。また、１人のユーザで、左右両方の目に対応するユーザ認証情報をそれぞれ登録し、左右両方の目に対応する各ユーザ認証情報に基づいて、ユーザ認証を行う構成としてもよい。
【００６８】
また、上述した実施形態では、ユーザを認証できない場合には、被写体からの光束の光軸Ｌ１上にスキャナ２７１を挿入することで、レンズ鏡筒２００を使用して、画像を撮影することができないよう制御を行う構成を例示したが、この構成に限定されるものではなく、たとえば、ユーザを認証できない場合には、被写体にピントが合わないように、フォーカスレンズ２１２を駆動させることで、レンズ鏡筒２００を使用して、画像を撮影することができないよう制御を行う構成としてもよい。また、たとえば、ユーザを認証できない場合には、フォーカスレンズ２１２を至近端に固定することで、無限遠側に位置する被写体を、レンズ鏡筒２００を使用して、撮影することができないよう制御を行う構成としてもよい。さらに、ユーザを認証できない場合には、たとえば、ズームレンズを所定のレンズ位置に固定することで、ユーザが望む焦点距離で撮影を行えないよう制御を行う構成としてもよい。加えて、ユーザを認証できない場合には、たとえば、光学系を光軸方向に傾けて、被写体からの光束の光軸Ｌ１が、撮像素子１１０に照射されないようにすることで、レンズ鏡筒２００を使用して、画像を撮影できないよう制御を行う構成としてもよい。さらに、上記した構成を組み合わせた構成とすることもできる。
【００６９】
さらに、ユーザを認証できない場合には、レンズ制御部２５０からカメラ制御部１７０に対して、ユーザを認証できなかった旨の信号を送信することで、カメラ制御部１７０に、画像を撮像できないように制御を行わせる構成としてもよい。たとえば、ユーザを認証できない場合には、カメラ制御部１７０に、カメラ１の電源をオフにさせ、あるいは、カメラ制御部１７０に、シャッターレリーズボタンの全押し操作が行われた場合でも、シャッター１１１を開けないように制御させることで、レンズ鏡筒２００を使用して、画像を撮像できないよう制御を行うことができる。加えて、ユーザを認証できない場合には、カメラ制御部１７０に、撮影した画像を、ユーザが閲覧できないように制御を行わせる構成としてもよい。
【００７０】
また、上述した実施形態では、ユーザを認証できた場合に、被写体からの光束の光軸Ｌ１上からスキャナ２７１を退避させることで、レンズ鏡筒２００を使用して、画像を撮影できるよう制御を行う構成を例示したが、この構成に加えて、ユーザを認証できた場合には、たとえば、認証されたユーザに適した視度となるように、視度調整を行う構成としてもよい。また、ユーザを認証できた場合には、たとえば、認証されたユーザが最も高い頻度で使用する焦点距離となるように制御を行う構成としてもよい。さらに、ユーザを認証できた場合には、認証されたユーザのユーザ設定を読み出し、読み出したユーザ設定に応じて制御を行う構成としてもよい。
【００７１】
さらに、上述した実施形態では、電源がオンにされたタイミングで、ユーザ認証処理を行う構成を例示したが、この構成に加えて、たとえば、シャッターレリーズボタンの半押し操作などにより、カメラ１がスリープモードから復帰したタイミングにおいても、ユーザ認証処理を行う構成としてもよい。さらに、上述した実施形態では、電源をオフにするために電源ボタンが押下されたタイミングで、スキャナ２７１を、被写体からの光束の光軸Ｌ１上に挿入し、レンズ鏡筒２００を使用できない状態とする構成を例示したが、この構成に加えて、たとえば、カメラ１の動作モードがスリープモードに移行したタイミングや、カメラ１がロックされたタイミングにおいても、スキャナ２７１を光軸Ｌ１上に挿入し、レンズ鏡筒２００を使用できない状態とする構成としてもよい。
【００７２】
また、上述した実施形態では、スキャナ２７１を、被写体からの光束の光軸Ｌ１上に挿入することで、スキャナ２７１により、撮像素子１１０に向かう光束（光軸Ｌ１）を遮る構成を例示したが、この場合、スキャナ２７１を、撮像素子１１０に向かう光束の全てを遮るような構成としてもよく、あるいは、撮像素子１１０に向かう光束の一部のみを遮るような構成としてもよい。また、上述した実施形態では、スキャナ駆動モータ２７２を、光軸Ｌ１から外れた位置に配置する構成を例示したが、たとえば、スキャナ駆動モータ２７２を、スキャナ２７１とともに移動可能とする構成としてもよい。
【００７３】
加えて、上述した初期登録処理およびユーザ認証処理を実行するか否かを、ユーザが選択できる構成としてもよい。なお、この場合、初期登録処理およびユーザ認証処理を実行しないとの選択は、レンズ鏡筒２００が初期状態である場合、または、ユーザが認証されている場合にのみ行うことができる。
【００７４】
なお、本実施形態のカメラ１は特に限定されず、例えば、銀塩フィルムカメラに、本発明を適用することもできる。
【符号の説明】
【００７５】
１…一眼レフデジタルカメラ
１００…カメラボディ
１１０…撮像素子
１３７…測光センサ
１５０…操作部
１６０…焦点検出モジュール
１７０…カメラ制御部
２００…レンズ鏡筒
２１２…フォーカスレンズ
２３０…フォーカスレンズ駆動モータ
２４０…メモリ
２５０…レンズ制御部
２７１…スキャナ
２７２…スキャナ駆動モータ
２８１，２８２…発光部
【図１】
2013061508.tif 000003
【図２】
2013061508.tif 000004
【図３】
2013061508.tif 000005
【図４】
2013061508.tif 000006
【図５】
2013061508.tif 000007
【図６】
2013061508.tif 000008